(57)【特許請求の範囲】
【請求項１】
ウエスト方向に延びるよう設けられるベルト部を、ウエスト方向の所定位置で複数に分離し、分離した一方のベルト部の突出する端部を他方のベルト部に設けた開口部に挿入し、かつ、一方のベルト部の突出する端部を他方のベルト部に設けた開口部に挿入した状態でウエスト方向に弾性的に接続してなる衣料品において、
前記他方のベルト部の開口部は、前記開口部の意匠面となる外側面の開口端縁が下方に向かってウエスト方向に対して幅狭とし、また、前記開口部の内側面の開口端縁が下方に向かってウエスト方向に対して幅広となるようにした布地を中央で折返して、前記開口端縁が傾斜するように形成し、かつ、前記他方のベルト部の開口部の外側面の開口端縁をウエスト方向と直交するベルト通しにより被覆したことを特徴とするウエスト調節機能付衣料品。
【請求項２】
ウエスト方向に相対移動自在となるように重ね合わせた第１の布部及び第２の布部と、
前記第１の布部に端部が突出するように固着され、前記ウエスト方向に延びる帯状とした第１のベルト部と、
前記第２の布部に固着され、前記第１のベルト部に連続して前記ウエスト方向に延びる帯状とし、前記第１のベルト部の突出する端部が挿入される開口部を有し、かつ、前記開口部の外側面の開口端縁が下方に向かって前記ウエスト方向に対して幅狭とし、また、前記開口部の内側面の開口端縁が下方に向かって前記ウエスト方向に対して幅広となるようにした第２のベルト部と、
前記ウエスト方向と直交する帯状とし、その上端部を前記開口部の開口端縁付近に取付けると共に、その下端部を前記開口部の外側面の開口端縁付近の下部に対応する前記第２の布部に取付けて、前記開口部の外側面の開口端縁を覆ったベルト通しと、
外部から遮蔽された位置で、前記第１のベルト部の突出する端部と前記第２のベルト部の内方向側面に位置する部位とを前記ウエスト方向に弾性的に接続した第１の弾性部材とを具備することを特徴とするウエスト調節機能付衣料品。
【請求項３】
ウエスト方向に相対移動自在となるように重ね合わせた第１の布部及び第２の布部と、
前記第１の布部に端部が突出するように固着され、前記ウエスト方向に延びる帯状とした第１のベルト部と、
前記第２の布部に固着され、前記第１のベルト部に連続して前記ウエスト方向に延びる帯状とし、前記第１のベルト部の突出する端部が挿入される開口部を有し、かつ、前記開口部の外側面の開口端縁が下方に向かって前記ウエスト方向に対して幅狭とし、また、前記開口部の内側面の開口端縁が下方に向かって前記ウエスト方向に対して幅広となるようにした第２のベルト部と、
前記ウエスト方向と直交する帯状とし、その上端部を前記開口部の開口端縁付近に取付けると共に、その下端部を前記開口部の外側面の開口端縁付近の下部に対応する前記第２の布部に取付けて、前記開口部の外側面の開口端縁を覆ったベルト通しと、
外部から遮蔽された位置で、前記第１のベルト部の突出する端部と前記第２のベルト部の内方向側面に位置する部位とを前記ウエスト方向に弾性的に接続した第１の弾性部材と、
前記第１のベルト部及び前記第２のベルト部の内方向側面に位置する部位に縫製し、前記ウエスト方向に伸縮自在とした前記第１のベルト部及び前記第２のベルト部の内側面側の生地とを具備することを特徴とするウエスト調節機能付衣料品。
【請求項４】
ウエスト方向に相対移動自在となるように重ね合わせた第１の布部及び第２の布部と、
前記第１の布部に端部が突出するように固着され、前記ウエスト方向に延びる帯状とした第１のベルト部と、
前記第２の布部に固着され、前記第１のベルト部に連続して前記ウエスト方向に延びる帯状とし、前記第１のベルト部の突出する端部が挿入される開口部を有し、かつ、前記開口部の外側面の開口端縁が下方に向かって前記ウエスト方向に対して幅狭とし、また、前記開口部の内側面の開口端縁が下方に向かって前記ウエスト方向に対して幅広となるようにした第２のベルト部と、
前記ウエスト方向と直交する帯状とし、その上端部を前記開口部の開口端縁付近に取付けると共に、その下端部を前記開口部の外側面の開口端縁付近の下部に対応する前記第２の布部に取付けて、前記開口部の外側面の開口端縁を覆ったベルト通しと、
外部から遮蔽された位置で、前記第１のベルト部の突出する端部と前記第２のベルト部の内方向側面に位置する部位とを前記ウエスト方向に弾性的に接続した第１の弾性部材と、
前記第２の布部の端部または前記第２のベルト部と前記第１のベルト部の内方向側面に位置する部位とを前記ウエスト方向に弾性的に接続する第２の弾性部材とを具備することを特徴とするウエスト調節機能付衣料品。
【請求項５】
ウエスト方向に相対移動自在となるように重ね合わせた第１の布部及び第２の布部と、
前記第１の布部に端部が突出するように固着され、前記ウエスト方向に延びる帯状をなす第１のベルト部と、
前記第２の布部に固着され、前記第１のベルト部に連続して前記ウエスト方向に延びる帯状とし、前記第１のベルト部の突出する端部が挿入される開口部を有し、かつ、前記開口部の外側面の開口端縁が下方に向かって前記ウエスト方向に対して幅狭とし、また、前記開口部の内側面の開口端縁が下方に向かって前記ウエスト方向に対して幅広となるようにした第２のベルト部と、
前記ウエスト方向と直交する帯状とし、その上端部を前記開口部の開口端縁付近に取付けると共に、その下端部を前記開口部の外側面の開口端縁付近の下部に対応する前記第２の布部に取付けて、前記開口部の外側面の開口端縁を覆ったベルト通しと、
外部から遮蔽された位置で、前記第１のベルト部の突出する端部と前記第２のベルト部の内方向側面に位置する部位とを前記ウエスト方向に弾性的に接続した第１の弾性部材と、
前記第２の布部の端部または前記第２のベルト部と前記第１のベルト部の内方向側面に位置する部位とを前記ウエスト方向に弾性的に接続した第２の弾性部材と、
前記弾性部材の伸縮方向と伸縮方向を同一とした前記第１のベルト部及び前記第２のベルト部の内方向側面に位置する部位に縫製し、前記ウエスト方向に伸縮自在とした前記第１のベルト部及び前記第２のベルト部の内側面側の生地とを具備することを特徴とするウエスト調節機能付衣料品。
【請求項６】
前記ベルト通しの上端部は、前記開口部の内側面の上部開口端縁付近に取付けたことを特徴とする請求項１乃至請求項５の何れか１つに記載のウエスト調節機能付衣料品。
【請求項７】
前記ベルト通しの上端部は、前記開口部の外側面の上部開口端縁付近に取付けたことを特徴とする請求項１乃至請求項５の何れか１つに記載のウエスト調節機能付衣料品。
【請求項８】
前記第２のベルト部の前記開口部の外側面の開口端縁は、前記ベルト通しの略対角線方向に延びるよう形成したことを特徴とする請求項１乃至請求項７の何れか１つに記載のウエスト調節機能付衣料品。
【発明の詳細な説明】
【０００１】
【発明の属する技術分野】
本発明はウエスト調節機能付衣料品に関し、特に、着用者のウエストサイズに合わせてウエストベルトのサイズを自動調節できるズボン、スカート、ワンピース等のウエストベルトのサイズが特定されるウエスト調節機能付衣料品の構造に関するものである。
【０００２】
【従来の技術】
従来のこの種の技術として、特開平７−３２４２０５号公報、特開平８−３８０３号公報、特開平８−３８０４号公報、特開平８−１１３８０５号公報、及び特開平８−３２５８１１号公報が有る。これらの技術は、例えば、ズボン等のポケットまたはタック部分でベルト部を複数、例えば、前後に分割し、分割した一方のベルト部（第１のベルト部）を他方のベルト部（第２のベルト部）の内側（裏側）に重ねて配置する。また、その内側で第１のベルト部を第２のベルト部に弾性材により連結する。これにより、ズボン等のベルト部が着用者のウエストに合わせて伸縮する。その結果、ベルト部のウエストサイズを自動的に増減調節でき、かつ、その見栄えも良好とすることができる。故に、これらの技術は、衣料業界で高い評価を得ている。
【０００３】
一方、上記技術では、第１のベルト部を第２のベルト部に重ねるため、その重なり部分で外側に位置する第２のベルト部の開口部の開口端縁が切断線として露出する。故に、特開平８−３８０３号公報及び特開平８−１１３８０５号公報の技術は、その切断線をベルト通しにより被覆（正確には物理的に被覆できない）するかの如く隠すことを開示している。これにより、この開口端縁の切断線部分が認識されないようにしている。
【０００４】
【発明が解決しようとする課題】
しかし、前記重なり部分では、第２のベルト部と第１のベルト部とが相対移動できるように、ベルト通しの縫い代は第２のベルト部に設ける必要がある。したがって、ベルト通しの縫い代の確保から、第２のベルト部の端縁、即ち、開口部の開口端縁をベルト通しの端部と一致させるまで近接した縫製ができるにすぎない。即ち、ベルト通しにより第２のベルト部の開口部の開口端縁を被覆しようとしても、ベルト通しは、その幅方向一端縁が外側のベルト部の開口部の開口端縁に重なる位置までしか配置できない。
【０００５】
したがって、ベルト通しの一端縁と前記開口部の開口端縁がほぼ重なった状態でしか、その開口部の開口端縁を被覆できず、開口部の開口端縁を完全に被覆し、外部から開口部の開口端縁を完全に見えないようにすることができない。特に、ベルト通しにより開口部の開口端縁を超えて被覆しようとしても、開口部の開口端縁を越え、相対変位する両者間に縫い付けを行うことになり、ベルト部のウエストサイズの自動調節が不可能となり、ベルト部のウエストサイズの自動調節ができなくなる。
【０００６】
よって、ベルト通しの縫い代を確保し、かつ、ベルト部の開口部の開口端縁を完全に被覆して、ベルト部の重なり部分の見栄えを向上するための改善が必要となる。
【０００７】
そこで、本発明は、複数のベルト部を接続してウエスト部分を構成するとき、ベルト部の開口部の開口端縁を完全に被覆して、ベルト部の接続部分の見栄えを向上できるウエスト調節機能付衣料品の提供を課題とするものである。
【０００８】
【課題を解決するための手段】
請求項１にかかるウエスト調節機能付衣料品は、ウエスト方向に延びるよう設けられるベルト部を、ウエスト方向の所定位置で複数に分離し、分離した一方のベルト部の突出する端部を他方のベルト部に設けた開口部に挿入し、かつ、一方のベルト部の突出する端部を他方のベルト部に設けた開口部に挿入した状態でウエスト方向に弾性的に接続してなるウエスト調節機能付衣料品において、前記他方のベルト部の開口部は、前記開口部の意匠面となる外側面の開口端縁が下方に向かってウエスト方向に対して幅狭とし、また、前記開口部の内側面の開口端縁が下方に向かってウエスト方向に対して幅広となるようにした布地を中央で折返して、前記開口端縁が傾斜するように形成し、かつ、前記他方のベルト部の開口部の外側面の開口端縁をウエスト方向と直交するベルト通しにより被覆したものである。
【０００９】
したがって、ベルト部の開口端がベルト通しにより被覆され、ベルト通しによって視認されにくくなる。
【００１０】
請求項２にかかるウエスト調節機能付衣料品は、第１の布部に端部が突出するように固着され、ウエスト方向に延びる帯状とした第１のベルト部と、第２の布部に固着され、前記第１のベルト部に連続して前記ウエスト方向に延びる帯状とし、前記第１のベルト部の突出する端部が挿入される開口部を有し、かつ、前記開口部の外側面の開口端縁が下方に向かって前記ウエスト方向に対して幅狭とし、また、前記開口部の内側面の開口端縁が下方に向かって前記ウエスト方向に対して幅広となるようにした第２のベルト部と、前記ウエスト方向と直交する帯状とし、その上端部を前記開口部の開口端縁付近に取付けると共に、その下端部を前記開口部の外側面の開口端縁付近の下部に対応する前記第２の布部に取付けて、前記開口部の外側面の開口端縁を覆ったベルト通しと、外部から遮蔽された位置で、前記第１のベルト部の突出する端部と前記第２のベルト部の内方向側面に位置する部位とを前記ウエスト方向に弾性的に接続した第１の弾性部材とを具備するものである。
【００１１】
したがって、ベルト部の開口端がベルト通しにより被覆され、ベルト通しによって視認されにくくなる。また、前記開口部は正面からみれば略逆三角形状をなし、開口部上端の所定位置にベルト通しの上端部を取付けるための取付け代として使用することができる。また、開口部の下端に対応する第２の布部の上端には、開口部の開口の傾斜角度に応じて、開口部の上端の取付け代と同一幅の所定幅が確保でき、第２の布部の上端にベルト通しの下端部を取付ける取付け代を確保できる。
【００１２】
請求項３にかかるウエスト調節機能付衣料品は、第１の布部に端部が突出するように固着され、ウエスト方向に延びる帯状とした第１のベルト部と、第２の布部に固着され、前記第１のベルト部に連続して前記ウエスト方向に延びる帯状とし、前記第１のベルト部の突出する端部が挿入される開口部を有し、かつ、前記開口部の外側面の開口端縁が下方に向かって前記ウエスト方向に対して幅狭とし、また、前記開口部の内側面の開口端縁が下方に向かって前記ウエスト方向に対して幅広となるようにした第２のベルト部と、前記ウエスト方向と直交する帯状とし、その上端部を前記開口部の開口端縁付近に取付けると共に、その下端部を前記開口部の外側面の開口端縁付近の下部に対応する前記第２の布部に取付けて、前記開口部の外側面の開口端縁を覆ったベルト通しと、外部から遮蔽された位置で、前記第１のベルト部の突出する端部と前記第２のベルト部の内方向側面に位置する部位とを前記ウエスト方向に弾性的に接続した第１の弾性部材と、前記第１のベルト部及び前記第２のベルト部の内方向側面に位置する部位に縫製し、前記ウエスト方向に伸縮自在とした前記第１のベルト部及び前記第２のベルト部の内側面側の生地とを具備するものである。
【００１３】
したがって、ベルト部の開口端がベルト通しにより被覆され、ベルト通しによって視認されにくくなる。また、第１の弾性部材は第２のベルト部の内方向側面の生地に縫い付けされ、かつ、生地でそれを隠すことができる。
【００１４】
請求項４にかかるウエスト調節機能付衣料品は、第１の布部に端部が突出するように固着され、ウエスト方向に延びる帯状をなす第１のベルト部と、第２の布部に固着され、前記第１のベルト部に連続してウエスト方向に延びる帯状とし、前記第１のベルト部の突出する端部が挿入される開口部を有し、かつ、前記開口部の外側面の開口端縁が下方に向かって前記ウエスト方向に対して幅狭とし、また、前記開口部の内側面の開口端縁が下方に向かって前記ウエスト方向に対して幅広となるようにした第２のベルト部と、前記ウエスト方向と直交する帯状とし、その上端部を前記開口部の開口端縁付近に取付けると共に、その下端部を前記開口部の外側面の開口端縁付近の下部に対応する前記第２の布部に取付けて、前記開口部の外側面の開口端縁を覆ったベルト通しと、外部から遮蔽された位置で、前記第１のベルト部の突出する端部と前記第２のベルト部の内方向側面に位置する部位とを前記ウエスト方向に弾性的に接続した第１の弾性部材と、前記第２の布部または前記第２のベルト部の端部と前記第１のベルト部の内方向側面に位置する部位とを前記ウエスト方向に弾性的に接続する第２の弾性部材とを具備するものである。
【００１５】
したがって、ベルト部の開口端がベルト通しにより被覆され、ベルト通しによって視認されにくくなる。また、第１の弾性部材は第２のベルト部の内方向側面の生地に縫い付けされ、第２のベルト部の内側面にのみその影響が現れるのみである。そして、第２の弾性部材についても第１のベルト部の内方向側面の生地に縫い付けされ、内側面にのみその影響が現れるのみである。
【００１６】
請求項５にかかるウエスト調節機能付衣料品は、第１の布部に端部が突出するように固着され、ウエスト方向に延びる帯状をなす第１のベルト部と、第２の布部に固着され、前記第１のベルト部に連続して前記ウエスト方向に延びる帯状とし、前記第１のベルト部の突出する端部が挿入される開口部を有し、かつ、前記開口部の外側面の開口端縁が下方に向かって前記ウエスト方向に対して幅狭とし、また、前記開口部の内側面の開口端縁が下方に向かって前記ウエスト方向に対して幅広となるようにした第２のベルト部と、前記ウエスト方向と直交する帯状とし、その上端部を前記開口部の開口端縁付近に取付けると共に、その下端部を前記開口部の外側面の開口端縁付近の下部に対応する前記第２の布部に取付けて、前記開口部の外側面の開口端縁を覆ったベルト通しと、外部から遮蔽された位置で、前記第１のベルト部の突出する端部と前記第２のベルト部の内方向側面に位置する部位とを前記ウエスト方向に弾性的に接続した第１の弾性部材と、前記第２の布部または前記第２のベルト部の端部と前記第１のベルト部の内方向側面に位置する部位とを前記ウエスト方向に弾性的に接続した第２の弾性部材と、前記弾性部材の伸縮方向と伸縮方向を同一とした前記第１のベルト部及び前記第２のベルト部の内方向側面に位置する部位に縫製し、前記ウエスト方向に伸縮自在とした前記第１のベルト部及び前記第２のベルト部の内側面側の生地とを具備するものである。
【００１７】
したがって、ベルト部の開口端がベルト通しにより被覆され、ベルト通しによって視認されにくくなる。また、第１の弾性部材は第２のベルト部の内方向側面の生地に縫い付けされ、第２のベルト部の内側面にのみその影響が現れるのみである。そして、第２の弾性部材についても第１のベルト部の内方向側面の生地に縫い付けされ、内側面にのみその影響が現れるのみである。そして、生地でそれを隠すことができる。
【００１８】
請求項６にかかるウエスト調節機能付衣料品の前記ベルト通しの上端部は、前記第２のベルト部の前記開口部の内側面の上部開口端縁付近に取付けたものであるから、前記ベルト通しによって開口部の外側面の開口端縁を完全に覆うことができる。
【００１９】
請求項７にかかるウエスト調節機能付衣料品の前記ベルト通しの上端部は、前記第２のベルト部の前記開口部の外側面の上部開口端縁付近に取付けたものであるから、前記ベルト通しによって開口部の外側面の開口端縁の多くを覆うことができると共に、作業工程の順序を拘束する要件が少なくなる。
【００２０】
請求項８にかかるウエスト調節機能付衣料品の前記第２のベルト部の前記開口部の外側面の開口端縁は、前記ベルト通しの略対角線方向に延びるよう形成したものであるから、前記ベルト通しの縫い代を確保し易い。
【００２２】
【発明の実施の形態】
以下、本発明の実施の形態を説明する。
【００２３】
なお、各実施の形態を通じ、同一または対応する部材乃至部分には同一または対応する符号を付してその説明を省略する。
【００２４】
図１は本発明の実施の形態１にかかるウエスト調節機能付衣料品としてのズボン全体を示す側面図である。図２は本発明の実施の形態１にかかるズボンのウエスト調節機構の各部材を分解して示す斜視図である。図３は本発明の実施の形態１にかかるズボンのウエスト調節機構の各部材の取付け態様を示す分解斜視図である。図４は本発明の実施の形態１にかかるズボンのウエスト調節機構付近を示す斜視図である。図５は本発明の実施の形態１にかかるズボンのウエスト調節機構の通常時を表面側から見て示す説明図であり、図４の二点鎖線で囲む部分を表面側から見た状態を示す。図６は本発明の実施の形態１にかかるズボンのウエスト調節機構の通常時を裏面側から見て示す説明図であり、図４の二点鎖線で囲む部分を裏面側から見た状態を示す。
【００２５】
図１に示すように、実施の形態１のウエスト調節機能付衣料品はズボンに具体化される。このズボンは、所定の裁断、縫製工程を経て、所定形状に仕立てられる。また、ズボンの脇ポケット１０上端側のベルト部２０には、脇ポケット１０を利用して、図１中二点鎖線で囲む部分にウエスト調節機構が設けられている。次に、この部分を詳細に説明する。
【００２６】
図２に示すように、ズボンの脇ポケット１０は、第１の布部としての前布１１と、第２の布部としての補助布１２とを備えている。脇ポケット１０のポケット口１３は、脇線１４より若干前方に傾斜している。また、補助布１２の後端縁は後布１５の前端縁と縫い付け等により接合されポケット口１３における脇線１４を形成する。また、それより下側では、前布１１の後端縁が後布１５の前端縁と縫い付け等により縫合され、脇線１４の残りの部分を形成する。補助布１２は前布１１の脇ポケット部分の内部に挿入され、ウエスト方向に相対移動自在となるよう前布１１に重ね合わされる。なお、図示しないが、補助布１２の前端縁から下端縁にかけて袋布が縫い付けられる。また、後布１５にはダーツ１６が、前布１１にはタック１７が設けられている。
【００２７】
図３乃至図６に示すように、ズボンのウエスト部分にはウエスト方向の全長に沿って延びるベルト部２０が設けられる。ベルト部２０は、ウエスト方向の所定位置、即ち、脇ポケット１０のポケット口１１上端で分離される。ベルト部２０は、第１のベルト部としての左右一対の前ベルト２１と、第２のベルト部としての後ベルト２５より構成される。前ベルト２１は、前記前布１１の上端に固着されてウエスト方向に延びる帯状をなす。即ち、各々の前ベルト２１は、所定幅の布地を中央で表側から裏側へ折返した二重の帯状とされ、その下端が前布１１の上端を挟む形でその上端に縫い付け等により固着されている。これにより、前ベルト２１は、右側または左側の脇ポケット１０のポケット口１３上端から前開き（ファスナー部分）１８まで延びている。また、前ベルト２１の後端部は、ポケット口１３上端から後方へ所定長突出する挿入端部２２とされている。挿入端部２２は、後端が脇線１４を超える長さとされ、後方（後端）に向かって若干幅狭となるテーパ状とされている。挿入端部２２の後端は、その長さ方向と直交して裁断され、上下方向に延びている。挿入端部２２は前布１１に固着されず、フリーな状態とされている。即ち、第１のベルト部としての左右一対の前ベルト２１は、前布１１からなる第１の布部から端部が突出するように固着され、前記ウエスト方向に延びる帯状となっている。
【００２８】
一方、後ベルト２５は、前記補助布１２及び後布１５の上端に固着され、前ベルト２１に連続してウエスト方向に延びる帯状をなしている。即ち、後ベルト２５は、前ベルト２１と略同一幅の布地を中央で折返した二重の帯状とされ、その下端が補助布１２及び後布１５の上端を挟む形でその上端に縫い付け等により固着されている。これにより、後ベルト２５は、左右の脇ポケット１０のポケット口１３上端間を周回して延びている。後ベルト２５において前ベルト２１との接続部分には、前ベルト２１の先端部である挿入端部２２を内側に摺動自在（出し入れ自在）とする開口部２６が設けられる。即ち、後ベルト２５の布地の両端は、図２に示すように、表側の半分（図中下半分）が後方に所定角度で傾斜し、裏側の半分（図中上半分）が前方により大きい所定角度で傾斜するよう裁断され、補助布１２からなる第２の布部に固着され、前ベルト２１からなる第１のベルト部に連続してウエスト方向に延びる帯状とし、前ベルト２１からなる第１のベルト部の突出する端部が挿入される第２のベルト部の開口部２６は、その開口部２６の意匠面となる外側面の開口端縁２７が下方に向かってウエスト方向に対して幅狭とし、また、開口部２６の内側面（ズボンの内側）の開口端縁２８が下方に向かってウエスト方向に対して幅広となるようにしたものである。これにより、図５に示すように、その布地を中央で折返したときに、後ベルト２５の表側の開口端縁２７及び開口端縁２８は、下端側が後方へ傾斜して直線的に延びている。かかる後ベルト２５の開口端縁２７及び開口端縁２８により前記開口部２６が構成されている。即ち、開口部２６は、上端に所定幅部分を残し、かつ、下端に向かって幅狭となる平面逆三角形状または逆台形状をなす。開口端縁２７は、ウエスト方向に対して傾斜する平面形状、即ち、下端側が後方（前ベルト２１の反対側）に傾斜する平面形状を有している。また、図６に示すように、後ベルト２５の裏側の開口端縁２８は、下端側が前方（前ベルト２１側）へ傾斜して直線的に延びている。
【００２９】
そして、前記前ベルト２１の挿入端部２２を前記開口部２６の開口端縁２７から内部に挿入し、その挿入端部２２を開口部２６の開口端縁２７に挿入し、その挿入深さが変化するようになっている。これにより、前ベルト２１及び後ベルト２５がウエスト方向に相対移動自在となっている。ここで、前記後ベルト２５の裏側の生地の下端は、前ベルト２１の挿入方向（後方）と反対方向（前方）に延長される延長部２９を構成している。そして、延長部２９の下端縁に前記補助布１２の上端部を縫い付け等により固着すると共に、前記延長部２９により前記前ベルト２１の下端を移動案内するようにしている。延長部２９の長さ（ウエスト方向寸法）は、補助布１２の上端を固着するため、補助布１２の幅（ウエスト方向寸法）と略同一とする。
【００３０】
更に、第１の弾性部材３１が、外部から遮蔽された位置で、前ベルト２１の挿入端部２２と後ベルト２５とをウエスト方向に弾性的に接続している。即ち、第１の弾性部材３１の前端部は、前ベルト２１の挿入端部２２の後端部に縫い付け３１ａ等により固着されている。また、第１の弾性部材３１の後端部は、前記後端部より後方（前ベルト２１の挿入端部２２の挿入方向における奥側）に位置する後ベルト２５の裏側の生地に縫い付け３１ａ等により固着されている。
【００３１】
一方、第２の弾性部材３２が、補助布１２の上端部と、その上端部から前ベルト２１の挿入方向と反対方向（前方）に所定間隔離れた位置の前ベルト２１の裏側の生地とを、ウエスト方向に弾性的に接続している。即ち、第２の弾性部材３２の前端は、前ベルト２１の裏側の生地に縫い付け３２ａ等により固着され、後端は、補助布１２の上端所定位置に縫い付け等により固着されている。そして、第２の弾性部材３２は、図３に示すように、補助布１２上端から前ベルト２１の裏側の生地の上下略中央まで上方に若干傾斜して延びている。第２の弾性部材３２は、図３では補助布１２の上端部中央に固着されているが、より好ましくは、補助布１２の上端コーナー部に固着する。こうすれば、第２の弾性部材３２が、補助布１２上端の前端部（コーナー部）と、補助布１２上端に固着した後ベルト２５の延長部２９の前端部とを支持し、それらがフリーな状態となることを防止する。なお、第１及び第２の弾性部材３１，３２としては、平ゴムひも等、十分な弾性を有するものであれば任意のものを使用することができる。
【００３２】
前記第１及び第２の弾性部材３１，３２は、それぞれ、完全に縮んだその本来の状態で前ベルト２１と後ベルト２５との間、前ベルト２１と補助布１２との間に取付けられる。そして、前ベルト２１及び後ベルト２５を互いに離間する方向に相対移動したときに、第１及び第２の弾性部材３１，３２がそれぞれ伸びる方向（反対方向）に引張られる。このとき、第１及び第２の弾性部材３１，３２が、前ベルト２１及び後ベルト２５のバランスを保った状態で、前ベルト２１及び後ベルト２５をそれぞれ引張る方向に付勢するようになっている。
【００３３】
前記開口部２６にはベルト通し４１が取付けられる。即ち、ベルト通し４１は、ウエスト方向と直交する方向（上下方向）に延びる帯状をなし、その上端部を前記開口部２６の上端の所定幅部分に縫い付け等により固着している。また、ベルト通し４１の下端部は、前記開口部２６の下端に対応する前記補助布１２の上端部に縫い付け等により固着されている。これにより、後ベルト２５の開口２７が、ベルト通し４１の裏面側でベルト通し４１の長さ方向と傾斜して延び、ベルト通し４１により完全に被覆されるようになっている。
【００３４】
前記前ベルト２１及び後ベルト２５の接続部分の構成、即ち、相対移動自在な前布１１及び補助布１２、前ベルト２１の挿入端部２２、後ベルト２５の開口部２６及び延長部２８、第１及び第２の弾性部材３１，３２、並びにベルト通し４１により、本実施の形態のズボンのウエスト調節機構が構成されている。
【００３５】
次に、上記のように構成された実施の形態１にかかるウエスト調節機能付衣料品としてのズボンのウエスト調節機構の作用を説明する。
【００３６】
図７は本発明の実施の形態１にかかるズボンのウエスト調節機構の伸長時を意匠面である外表面側から見て示す説明図である。図８は本発明の実施の形態１にかかるズボンのウエスト調節機構の伸長時を内表面側である裏面側から見て示す説明図である。
【００３７】
まず、ズボンの非着用時には、図７及び図８中に二点鎖線で示すように、第１及び第２の弾性部材３１，３２は縮んでおり、自然の状態にある。故に、前ベルト２１の挿入端部２２は後ベルト２５の開口２７からその内部にほぼ完全に挿入され、ズボンのウエストは製造時に決定した規定のサイズにある。
【００３８】
一方、ズボンを着用すると、図７及び図８中に実線及び破線で示すように、着用者のウエストサイズに合わせて、ズボンの前ベルト２１及び後ベルト２５が、ウエスト方向に互いに離間するよう相対移動する。これにより、着用者のウエストサイズがズボンの規定サイズより大きい分だけ、前ベルト２１の挿入端部２２が後ベルト２５の開口２６から引き出される。これに合わせ、脇ポケット部分で重なる前布１１及び補助布１２は、前ベルト２１及び後ベルト２５にそれぞれ固着されているため、ウエスト方向に互いに離間するよう相対移動する。これにより、ズボンのウエスト、ヒップ等のサイズが拡大し、着用者のサイズに対応するとともに、着心地を良好なものに維持する。このとき、ポケット口１３上端がベルト通し４１の前端縁の下端から前方に移動する。即ち、ポケット口１３が脇線１４からより前方に離れた位置に移動する。このようにして、ズボンのウエスト調節機構が、ズボンのウエストを着用者のウエストサイズに合わせて自動的に調節される。
【００３９】
また、ベルト部２０を構成する前ベルト２１及び後ベルト２５の接続部分では、後ベルト２５の開口部２６の開口端縁２７が意匠面側に現れることになるが、その開口端縁２７はベルト通し４１により被覆され、そのベルト通し４１の裏側に位置することになる。よって、開口端縁２７は自己の弾性力によって開口端縁２７との間に間隔を形成する素材が使用されることはあり得ないから、ベルト通し４１の幅方向両端からも見えにくく、通常の状態では開口端縁２７が外部から見えてしまうことはない。その結果、ベルト部２０の接続部が外部から見えてしまい、その見栄えを損なうという不具合を効果的に防止することができる。即ち、複数に分離したベルト部２０の接続部における端縁である後ベルト２５の開口端縁２７をベルト通し４１により完全に被覆し、ベルト部２０の重なり部分の見栄えを向上することができる。また、ベルト部２０の接続部である後ベルト２５の開口端縁２７は、帯状のベルト部用素材を斜めに裁断して端部縫製処理等するだけで簡単に形成することができるため、作業性を向上し、かつ、製造コストを低減することができる。
【００４０】
更に、前記後ベルト２５の開口部２６は平面略逆三角形状をなし、その上端に所定幅部分が設けられる。よって、開口部２６上端の所定幅部分をベルト通し４１の上端部を取付けるための縫い代として使用することができる。また、開口部２６の下端に対応する補助布１２の上端には、開口部２６の開口２７の傾斜角度に応じて、開口部２６の上端の縫い代と同一幅の所定幅部分が設けられる。よって、かかる補助布１２の上端の所定幅部分をベルト通し４１の下端部を取付けるための縫い代として使用することができる。その結果、ベルト通し４１の上下両端部の縫い代を確保し、ベルト通し４１の上下両端部を開口部２６上端及び補助布１２上端の所定位置に容易に位置決めすることができると共に、ベルト通し４１をベルト部２０の接続部に簡単に縫い付け等により取付けることができる。加えて、ズボンの非着用時は、ベルト通し４１の前端縁とポケット口１３が同一線上に並ぶため、その見栄えが良い。
【００４１】
そして、第１の弾性部材３１は後ベルト２５の裏側の生地に縫い付け等され、裏側の生地にのみその影響が現れる。その結果、後ベルト２５の表側の生地にその縫い目等が現れたり、表側の生地が歪んだりすることがなく、意匠面である表面の生地の美観を損なうことがない。また、第１の弾性部材３１により後ベルト２５の裏側の生地が前ベルト２１に接続されて支持される。その結果、後ベルト２５の裏側の生地の捲れを防止することができる。例えば、ウエスト部分またはベルト部２０の縫製作業において、後ベルト２５の裏側の生地の捲れを防止することにより、その作業を円滑に行い、作業性を向上することができる。
【００４２】
更に、第２の弾性部材３２により補助布１２の上端部が前ベルト２１の裏側の生地に接続されて支持される。このとき、第１及び第２の弾性部材３１，３２の弾性力による付勢方向は反対方向となる。その結果、第１及び第２の弾性部材３１，３２により、前ベルト２１及び後ベルト２５のウエスト方向への相対移動をバランス良く釣り合わせた状態で行うことができる。ここで、補助布１２は、前布１１と相対移動自在とする必要があるため、前布１１に重なる相当な幅の部分が、本来なら、どこにも縫い付け等して固着されず、フリーな状態となる。しかし、補助布１２の上端部は第２の弾性部材３２により前ベルト２１に支持される。その結果、第２の弾性部材３２により補助布１２上端の位置を定めることができ、補助布１２上端がフリーな状態となることを防止することができる。特に、本実施の形態では、第２の弾性部材３２が前ベルト２１から補助布１２へ斜めに延びて補助布１２を支持するため、補助布１２を上方から吊り下げた形で支持することになる。その結果、より効果的に補助布１２の位置を定めることができる。また、ズボンの内側における補助布１２の上端部の処理を第２の弾性部材３２を利用して簡単に行うことができる。なお、延長部２９及び補助布１２上端の位置は第２の弾性部材３２を利用して定めることが好ましい。
【００４３】
加えて、第２の弾性部材３２は前ベルト２１の裏側の生地に縫い付け等され、裏側の生地にのみその影響が現れる。その結果、前ベルト２１の表側の生地にその縫い目等が現れたり、表側の生地が歪んだりすることがなく、意匠面である表面の生地の美観を損なうことがない。また、第２の弾性部材３２により、前ベルト２１の裏側の生地の捲れを防止することができる。例えば、ウエスト部分またはベルト部２０の縫製作業において、前ベルト２１の裏側の生地の捲れを防止することにより、その作業を円滑に行い、作業性を向上することができる。
【００４４】
また、延長部２９により補助布１２の上端部、即ち、上記のように前布１１と重なり、本来はフリーな状態となる部分を支持することができる。その結果、前布１１及び補助布１２を接続部分で相対移動自在とし、かつ、補助布１２の上端部の位置を定めてその垂れ下がり等を防止することができる。また、使用者のズボン着用時に、使用者のウエストに合わせて、第１及び第２の弾性部材３１，３２を介して前ベルト２１及び後ベルト２５が相対移動するときに、後ベルト２５の延長部２９が前ベルト２１の下端を案内する。その結果、前ベルト２１及び後ベルト２５の相対移動をより円滑に行うことができる。
【００４５】
図９は実施の形態２にかかるウエスト調節機能付衣料品としてのズボン全体を示す側面図である。図１０は実施の形態２にかかるズボンのウエスト調節機構の各部材の取付け態様を示す分解斜視図である。図１１は本発明の実施の形態２にかかるズボンのウエスト調節機構の通常時を表面側から見て示す説明図である。図１２は本発明の実施の形態２にかかるズボンのウエスト調節機構の通常時を裏面側から見て示す説明図である。
【００４６】
実施の形態２のウエスト調節機能付衣料品としてのズボンは、タック１７を利用して、図９中二点鎖線で囲む部分にウエスト調節機構を設けた点を除き、実施の形態１とほぼ同様の構成である。実施の形態２のズボンでは、図９に示すように、前布１１に前後２つのタック１７，１７が設けられている。図１０乃至図１２に示すように、脇ポケット１０は前布１１、補助布１２及び袋布１９より、実施の形態１と同様に構成される。
【００４７】
一方、実施の形態２のベルト部５０は、ウエスト方向の所定位置、即ち、前側のタック１７上端で分離される。ベルト部５０は、実施の形態１のベルト部２０と同様、第１のベルト部としての左右一対の前ベルト５１と、第２のベルト部としての後ベルト５５より構成される。前ベルト５１及び後ベルト５５は、実施の形態１の前ベルト２１及び後ベルト２５とほぼ同様の構成であり、所定幅の布地を中央で表側から裏側へ折返した二重の帯状とされている。即ち、前ベルト５１の後端部は、実施の形態１の前ベルト２１の挿入端部２２と同様の挿入端部５２とされている。また、後ベルト５５は、その表面側前端部に、実施の形態１の後ベルト２１の開口部２６と同様の開口部５６を有し、その端縁の開口端縁５７から前ベルト５１の挿入端部５２を内部に出し入れするようになっている。よって、前記開口端縁５７は、下端側が後方に傾斜する。なお、後ベルト５５の裏側の開口端縁５８は、ウエスト方向と略直交するよう直線的に延び、実施の形態１におけるような延長部２９は形成されていない。
【００４８】
ここで、タック１７は、前方に入り込むよう三つ折りにされ、三つ折りの中央に位置するタック片１７ａと、タック片１７ａと重なってその内側に位置する裏側のタック片１７ｂと、タック片１７ａと重なってその外側に位置する表側のタック片１７ｃとを有する。また、前布１１は、タック１７よりウエスト方向前側に位置する前側部１１ａと、タック１７よりウエスト方向後側に位置する後側部１１ｂとを有する。これにより、前布１１は、前側のタック１７を境として、第１の布部としての前側部１１ａと第２の布部としての後側部１１ｂとに分離される。そして、前記前ベルト５１が、前布１１の前側部１１ａ上端を挟む形で、その上端に縫い付け等により固着される。前ベルト５１は、前側のタック１７上端から前開き（ファスナー部分）１８まで延びている。また、前ベルト５１の挿入端部５２は、前側のタック１７上端から後方へ所定長突出すると共に、前布１１には固着されず、フリーな状態とされている。
【００４９】
一方、後ベルト５５は、前記前布１１の後側部１１ｂ上端を挟む形で、その上端に縫い付け等により固着され、前ベルト５１に連続してウエスト方向に延びる帯状をなす。これにより、後ベルト５５は、左右の前側のタック１７上端間を周回して延びている。ここで、前記タック１７の中央のタック片１７ａ及び裏側のタック片１７ｂは、前ベルト５１及び後ベルト５５のいずれにも固着されず、フリーな状態とされている。一方、タック１７の表側のタック片１７ｃは、前ベルト５１の下端に縫い付け等により固着され、前ベルト５１と共にウエスト方向に一体的に移動する。
【００５０】
また、タック１７の前側のタック片１７ａと前開き１８（図４参照）との間には、その上端部に、矩形状の当て布６１が設けられる。即ち、当て布６１の幅方向一端縁（後端縁）は、タック片１７ａのタック幅の中間程度の位置に縫い付け６１ａ等により固着されている。また、当て布６１の前端縁は前開き１８に縫い付け等により固着されている。更に、袋布１９が、その後端縁を補助布１２の前端縁に縫い付け等により固着されると共に、その前端縁をタック片１７ｂに縫い付け等により固着される。この当て布６１は、タック１７が接続部の伸張によって延びたときは、タック１７を広げ、また、タック１７が接続部が元に戻るときには、タック片１７ａを元に戻す方向に押し、その形状を維持することができる。しかし、本発明を実施する場合、当て布６１を必ずしも必要としないが、当て布６１を具備するものにおいては、その形状が維持され、常に見栄えを良くすることができ、クリーニングのプレスも容易になる。
【００５１】
更に、前ベルト５１及び後ベルト５５からなるベルト部５０の内方向側面には、前開き１８（図４参照）を除いて、その上端部に、矩形状の生地からなる裏布６０が設けられる。即ち、裏布６０は前ベルト５１及び後ベルト５５からなるベルト部５０の内方向側面に縫製するものであり、ベルト部５０の接合部が伸縮するものであるから、全体を伸縮自在な生地で接合する必要がある。または伸縮自在でない生地を使用する場合には、バイアスカットのギャザ付きとし、その縫製についても伸縮自在となる縫目を必要とする。または伸縮自在でない生地を使用する場合には、バイアスカットのギャザ付きとし、接合部の付近の縫製を若干広く行わないことでも対応できる。当然ながら、全体を伸縮自在な生地で接合した場合でも、接続部については若干縫製を行わない距離が存在するのが裏布６０のストレスを軽減でき、望ましい。
【００５２】
なお、本実施の形態で取付けている前ベルト５１及び後ベルト５５からなるベルト部５０の内方向側面に縫製した矩形状の生地からなる裏布６０は、前ベルト２１及び後ベルト２５からなるベルト部２０の内方向側面にも縫製することができる。何れにせよ、第１の弾性部材３１、第２の弾性部材３２との縫製した縫目を隠すことができるから、ベルト部２０，５０の内方向側面の見栄えが良くなり、また、着用時の違和感がより軽減される。
【００５３】
そして、前記第１の弾性部材３１が、実施の形態１と同様、前端部を前ベルト５１の挿入端部５２の後端部に固着すると共に、後端部を後ベルト５５の内部で裏側の生地に固着する。また、実施の形態１と同様、第２の弾性部材３２の前端部が、前ベルト５１の内部で裏側の生地に固着される。更に、第２の弾性部材３２の後端部は、前記前側のタック１７の後側のタック片１７ｂ上端に縫い付け等により固着される。これにより、第２の弾性部材３２が、タック片１７ｂ上端から前ベルト５１の裏側の生地の上下略中央まで上方に若干傾斜して延びている。なお、第２の弾性部材３２の後端部は、袋布１９の上端の前側コーナー部に固着しても良い。
【００５４】
後ベルト５５の開口部５６には、実施の形態１と同様、ベルト通し４１が取付けられ、その開口端縁５７を被覆して外部から遮蔽する。即ち、ベルト通し４１は、その上端部を開口部５６の上端の所定幅部分に縫い付け等により固着している。また、ベルト通し４１の下端部は、開口部５６の下端に対応する前記前布１１の後側部１１ｂの上端部に縫い付け等により固着されている。これにより、後ベルト５５の開口端縁５７が、ベルト通し４１の裏面側でベルト通し４１の長さ方向の幅の範囲内で傾斜して延び、ベルト通し４１により完全に被覆され、外部から認識できにくいようになっている。
【００５５】
次に、上記のように構成された実施の形態２にかかるウエスト調節機能付衣料品としてのズボンのウエスト調節機構の作用を説明する。
【００５６】
まず、ズボンの非着用時には、実施の形態１と同様、第１及び第２の弾性部材３１，３２は完全に縮んでいる。故に、前ベルト５１の挿入端部５２は後ベルト５５の開口端縁５７からその内部にほぼ完全に挿入され、ズボンのウエストは製造時に決定した規定のサイズにある。このとき、タック片１７ａ及びタック片１７ｂ間に形成されるタック線が、ベルト通し４１の前端縁の下端に位置する。
【００５７】
一方、ズボンの着用者がズボンを着用すると、実施の形態１と同様、着用者のウエストサイズに合わせて、ズボンの前ベルト５１及び後ベルト５５が相対移動し、前ベルト５１の挿入端部５２が後ベルト５５の開口５７から引き出される。これに合わせ、タック１７部分で重なる前布１１の前側部１１ａ及び後側部１１ｂは、前ベルト５１及び後ベルト５５にそれぞれ固着されているため、ウエスト方向に互いに離間するよう相対移動する。このとき、前側部１１ａ及び後側部１１ｂ間のタック片１７ａ，１７ｂがベルト部５０に固着されないフリーな状態にある。故に、タック片１７ａ，１７ｂが前側部１１ａ及び後側部１１ｂのウエスト方向の相対移動に伴って各々の幅を狭め、それらの相対移動を許容する。また、タック片１７ｃは、前側部１１ａに固着されているため、前側部１１ａと共に前方に移動する。よって、タック１７自体は、タック線を崩すことなく、ベルト通し４１の前端縁から前方に離間するよう移動する。その結果、タック１７の見栄えを損なうことはない。これにより、ズボンのウエスト、ヒップ等のサイズが拡大し、着用者のサイズに対応するとともに、着心地を良好なものに維持する。このようにして、ズボンのウエスト調節機構が、ズボンのウエストを着用者のウエストサイズに合わせて自動調節する。
【００５８】
また、前ベルト５１及び後ベルト５５の接続部では、後ベルト５５の開口端縁５７がベルト通し４１により被覆されている。開口端縁５７は、ベルト通し４１の裏側に位置するから、通常の状態では開口端縁５７が外部から見えることがない。その結果、実施の形態２も、実施の形態１と同様の効果を奏する。
【００５９】
更に、実施の形態１と同様、開口部５６上端の所定幅部分と開口部５６の下端に対応する後側部１１ｂの上端とを、ベルト通し４１の上端部及び下端部を取付けるための縫い代として使用することができる。その結果、実施の形態１と同様の効果を発揮することができる。加えて、ズボンの非着用時は、ベルト通し４１の前端縁とタック１７のタック線が同一線上に並ぶため、その見栄えが良い。
【００６０】
そして、実施の形態１と同様、第１の弾性部材３１は、後ベルト５５の裏側の生地に固着されると共に、後ベルト２５の裏側の生地を前ベルト２１に接続して支持する。その結果、実施の形態１と同様の効果を発揮することができる。
【００６１】
更に、第２の弾性部材３２は、前ベルト５１の裏側の生地に固着されると共に、タック片１７ａ，１７ｂまたは袋布１９の上端前側コーナー部を前ベルト５１に接続して支持する。その結果、実施の形態１と同様の効果を奏することができる。また、実施の形態１と同様、第１及び第２の弾性部材３１，３２により、前ベルト５１及び後ベルト５５のウエスト方向への相対移動をバランス良く釣り合わせた状態で行うことができる。また、第２の弾性部材３２により、フリーな状態となるタック片１７ａ，１７ｂまたは袋布１９の上端前側コーナー部の位置を定めることができる。特に、本実施の形態では、第２の弾性部材３２が前ベルト５１からタック片１７ａ，１７ｂまたは袋布１９の上端前側コーナー部へ斜めに延び、それらを上方から吊り下げた形で支持するため、より効果的にそれらの位置を定めることができる。また、ズボンの内側におけるタック片１７ａ，１７ｂまたは袋布１９の上端前側コーナー部の処理を第２の弾性部材３２を利用して簡単に行うことができる。
【００６２】
上記実施の形態のウエスト調節機能付衣料品によれば、ウエスト方向に延びるよう設けられるベルト部２０，５０を、ウエスト方向の所定位置で複数に分離し、分離した一方の前ベルト２１，５１からなるベルト部の突出する挿入端部２２，５２からなる端部を他方の後ベルト２５，５５からなるベルト部に設けた開口部２６，５６に挿入し、かつ、一方の前ベルト２１，５１からなるベルト部の突出する挿入端部２２，５２からなる端部を、他方の後ベルト２５，５５からなるベルト部に設けた開口部２６，５６に挿入した状態でウエスト方向に弾性的に接続してなるウエスト調節機能付衣料品において、他方の後ベルト２５，５５からなるベルト部の開口部２６，５６の外側面の開口端縁２７，５７をウエスト方向と直交するベルト通し４１により被覆し、かつ、前記他方の後ベルト２５，５５からなるベルト部の開口部２６，５６の内側面の開口端縁２７，５７をベルト通し４１の長さ方向に傾斜して延びるよう形成したものである。
【００６３】
したがって、後ベルト２５，５５からなるベルト部の接続部の開口端縁２７，５７が外部から視認されて見栄えを損なうという不具合を効果的に防止することができる。即ち、分離した後ベルト２５，５５からなるベルト部の接続部における開口部２６，５６の開口端縁２７，５７を完全に被覆して、ベルトの重なり部分の見栄えが一本のベルト部２０，５０と認識され、その見栄えを向上することができる。また、ベルト部２０，５０の接続部である開口部２６，５６は、帯状のベルト部用素材を斜めに裁断して端部処理等するだけで簡単に形成することができるため、作業性を向上し、かつ、製造コストを低減することができる。
【００６４】
また、上記実施の形態のウエスト調節機能付衣料品によれば、ウエスト方向に相対移動自在となるように重ね合わせた前布１１，１１ａからなる第１の布部及び補助布１２または前布の後側部１２ａからなる第２の布部と、前記前布１１，１１ａからなる第１の布部に端部が突出するように固着され、前記ウエスト方向に延びる帯状とした前ベルト２１，５１からなる第１のベルト部と、前記補助布１２または前布の後側部１２ａからなる第２の布部に固着され、前記前ベルト２１，５１からなる第１のベルト部に連続して前記ウエスト方向に延びる帯状とし、前記前ベルト２１，５１からなる第１のベルト部の突出する挿入端部２２，５２からなる端部が挿入される開口部２６，５６を有し、かつ、前記開口部２６，５６の外側面の開口端縁２７，５７が下方に向かって前記ウエスト方向に対して幅狭とし、また、前記開口部２６，５６の内側面の開口端縁２７，５７が下方に向かって前記ウエスト方向に対して幅広となるようにした後ベルト２５，５５からなる第２のベルト部と、前記ウエスト方向と直交する帯状とし、その上端部を前記開口部２６，５６の開口端縁２７，５７付近に取付けると共に、その下端部を前記開口部２６，５６の外側面の開口端縁２７，５７付近の下部に対応する前記補助布１２または前布の後側部１２ａからなる第２の布部に取付けて、前記開口部２６，５６の外側面の開口端縁２７，５７を覆ったベルト通し４１と、外部から遮蔽された位置で、前記前ベルト２１，５１からなる第１のベルト部の突出する挿入端部２２，５２からなる端部と前記補助布１２または前布の後側部１２ａからなる第２のベルト部の内方向側面に位置する部位とを前記ウエスト方向に弾性的に接続した第１の弾性部材３１とを具備するものである。
【００６５】
したがって、ベルト部２０，５０の接続部の開口部２６，５６が外部から見えて見栄えを損なうという不具合を効果的に防止することができる。即ち、分離したベルト部２０，５０の接続部における開口端縁２７，５７を完全に被覆して、ベルト部２０，５０の重なり部分の見栄えを向上することができる。また、ベルト部２０，５０の接続部である開口部２６，５６は、帯状のベルト部用素材を斜めに裁断して端部処理するだけで簡単に形成することができるため、作業性を向上し、かつ、製造コストを低減することができる。また、ベルト通し４１の上下両端部の縫い代を確保し、ベルト通し４１の上下両端部を開口部２６，５６上端及び第２の布部上端の所定位置に容易に位置決めすることができると共に、ベルト通し４１をベルト部２０，５０の接続部に簡単に縫い付け等により取付けることができる。
【００６６】
そして、上記実施の形態のウエスト調節機能付衣料品によれば、ウエスト方向に相対移動自在となるように重ね合わせた前布１１，１１ａからなる第１の布部及び補助布１２または前布の後側部１２ａからなる第２の布部と、前記第１の布部に端部が突出するように固着され、前記ウエスト方向に延びる帯状とした前ベルト２１，５１からなる第１のベルト部と、前記補助布１２または前布の後側部１２ａからなる第２の布部に固着され、前記前ベルト２１，５１からなる第１のベルト部に連続して前記ウエスト方向に延びる帯状とし、前記前ベルト２１，５１からなる第１のベルト部の突出する挿入端部２２，５２からなる端部が挿入される開口部２６，５６を有し、かつ、前記開口部２６，５６の外側面の開口端縁２７，５７が下方に向かって前記ウエスト方向に対して幅狭とし、また、前記開口部２６，５６の内側面の開口端縁２７，５７が下方に向かって前記ウエスト方向に対して幅広となるようにした後ベルト２５，５５からなる第２のベルト部と、前記ウエスト方向と直交する帯状とし、その上端部を前記開口部２６，５６の開口端縁２７，５７付近に取付けると共に、その下端部を前記開口部２６，５６の外側面の開口端縁２７，５７付近の下部に対応する前記補助布１２または前布の後側部１２ａからなる第２の布部に取付けて、前記開口部２６，５６の外側面の開口端縁２７，５７を覆ったベルト通し４１と、外部から遮蔽された位置で、前記第１のベルト部の突出する端部と前記第２のベルト部の内方向側面に位置する部位とを前記ウエスト方向に弾性的に接続した第１の弾性部材３１と、前記前ベルト２１，５１からなる第１のベルト部及び前記後ベルト２５，５５からなる第２のベルト部の内方向側面に位置する部位に縫製し、前記ウエスト方向に伸縮自在とした前記前ベルト２１，５１からなる第１のベルト部及び前記後ベルト２５，５５からなる第２のベルト部の内側面側の生地６０とを具備するものである。
【００６７】
したがって、ベルト部２０，５０の接続部の開口部２６，５６が外部から見えてしまい見栄えを損なうという不具合を効果的に防止することができる。即ち、分離したベルト部２０，５０の接続部における開口端縁２７，５７を完全に被覆して、ベルト部２０，５０の重なり部分の見栄えを向上することができる。また、ベルト部２０，５０の接続部である開口部２６，５６は、帯状のベルト部用素材を斜めに裁断して端部処理するだけで簡単に形成することができるため、作業性を向上し、かつ、製造コストを低減することができる。また、ベルト通し４１の上下両端部の縫い代を確保し、ベルト通し４１の上下両端部を開口部２６，５６上端及び補助布１２または前布の後側部１２ａからなる第２の布部上端の所定位置に容易に位置決めすることができると共に、ベルト通し４１をベルト部２０，５０の接続部に簡単に縫い付け等により取付けることができる。更に、後ベルト２５，５５からなる第２のベルト部の表側の生地にその縫い目等が現れたり、表側の生地が歪んだりすることがなく、意匠面である表面の生地の美観を損なうことがない。また、後ベルト２５，５５からなる第２のベルト部の裏側の生地の捲れを防止することができる。例えば、ウエスト部分またはベルト部２０，５０の縫製作業において、後ベルト２５，５５からなる第２のベルト部の裏側の生地の捲れを防止することにより、その作業を円滑に行い、作業性を向上することができる。
【００６８】
更に、上記実施の形態のウエスト調節機能付衣料品によれば、ウエスト方向に相対移動自在となるように重ね合わせた前布１１，１１ａからなる第１の布部及び補助布１２または前布の後側部１２ａからなる第２の布部と、前記第１の布部に端部が突出するように固着され、前記ウエスト方向に延びる帯状とした前ベルト２１，５１からなる第１のベルト部と、前記第２の布部に固着され、前記第１のベルト部に連続して前記ウエスト方向に延びる帯状とし、前記前ベルト２１，５１からなる第１のベルト部の突出する挿入端部２２，５２からなる端部が挿入される開口部２６，５６を有し、かつ、前記開口部２６，５６の外側面の開口端縁２７，５７が下方に向かって前記ウエスト方向に対して幅狭とし、また、前記開口部２６，５６の内側面の開口端縁２７，５７が下方に向かって前記ウエスト方向に対して幅広となるようにした後ベルト２５，５５からなる第２のベルト部と、前記ウエスト方向と直交する帯状とし、その上端部を前記開口部２６，５６の開口端縁２７，５７付近に取付けると共に、その下端部を前記開口部２６，５６の外側面の開口端縁２７，５７付近の下部に対応する前記第２の布部に取付けて、前記開口部２６，５６の外側面の開口端縁２７，５７を覆ったベルト通し４１と、外部から遮蔽された位置で、前記第１のベルト部の突出する端部と前記第２のベルト部の内方向側面に位置する部位とを前記ウエスト方向に弾性的に接続した第１の弾性部材３１と、前記補助布１２または前布の後側部１２ａからなる第２の布部の端部または前記後ベルト２５，５５からなる第２のベルト部と前記第１のベルト部の内方向側面に位置する部位とを前記ウエスト方向に弾性的に接続する第２の弾性部材３２とを具備するものである。
【００６９】
したがって、ベルト部２０，５０の接続部の開口部２６，５６が外部から見えてしまい見栄えを損なうという不具合を効果的に防止することができる。即ち、分離したベルト部２０，５０の接続部における開口端縁２７，５７を完全に被覆して、ベルト部２０，５０の重なり部分の見栄えを向上することができる。また、ベルト部２０，５０の接続部である開口部２６，５６は、帯状のベルト部用素材を斜めに裁断して端部処理するだけで簡単に形成することができるため、作業性を向上し、かつ、製造コストを低減することができる。また、ベルト通し４１の上下両端部の縫い代を確保し、ベルト通し４１の上下両端部を開口部２６，５６上端及び補助布１２または前布の後側部１２ａからなる第２の布部上端の所定位置に容易に位置決めすることができると共に、ベルト通し４１をベルト部２０，５０の接続部に簡単に縫い付け等により取付けることができる。更に、第１及び第２の弾性部材３１，３２により、前ベルト２１，５１からなる第１のベルト部及び後ベルト２５，５５からなる第２のベルト部のウエスト方向への相対移動をバランス良く釣り合わせた状態で行うことができる。また、第２の弾性部材３２により第２の布部の端部の位置を定めることができ、第１の布部の端部がベルトの長さに応答することができる。しかも、ウエスト調節機能付衣料品の内側における第２の布部の端部処理は、第２の弾性部材３２を利用して簡単に行うことができる。
【００７０】
更にまた、上記実施の形態のウエスト調節機能付衣料品によれば、ウエスト方向に相対移動自在となるように重ね合わせた前布１１，１１ａからなる第１の布部及び補助布１２または前布の後側部１２ａからなる第２の布部と、前記第１の布部に端部が突出するように固着され、前記ウエスト方向に延びる帯状とした前ベルト２１，５１からなる第１のベルト部と、前記第２の布部に固着され、前記前ベルト２１，５１からなる第１のベルト部に連続して前記ウエスト方向に延びる帯状とし、前記第１のベルト部の突出する挿入端部２２，５２からなる端部が挿入される開口部２６，５６を有し、かつ、前記開口部２６，５６の外側面の開口端縁２７，５７が下方に向かって前記ウエスト方向に対して幅狭とし、また、前記開口部２６，５６の内側面の開口端縁２７，５７が下方に向かって前記ウエスト方向に対して幅広となるようにした後ベルト２５，５５からなる第２のベルト部と、前記ウエスト方向と直交する帯状とし、その上端部を前記開口部２６，５６の開口端縁２７，５７付近に取付けると共に、その下端部を前記開口部２６，５６の外側面の開口端縁２７，５７付近の下部に対応する前記第２の布部に取付けて、前記開口部２６，５６の外側面の開口端縁２７，５７を覆ったベルト通し４１と、外部から遮蔽された位置で、前記第１のベルト部の突出する端部と前記後ベルト２５，５５からなる第２のベルト部の内方向側面に位置する部位とを前記ウエスト方向に弾性的に接続した第１の弾性部材３１と、前記第２の布部の端部または前記後ベルト２５，５５からなる第２のベルト部と前記第１のベルト部の内方向側面に位置する部位とを前記ウエスト方向に弾性的に接続する第２の弾性部材３２と、前記第１のベルト部及び前記後ベルト２５，５５からなる第２のベルト部の内方向側面に位置する部位に縫製し、前記ウエスト方向に伸縮自在とした前記第１のベルト部及び前記後ベルト２５，５５からなる第２のベルト部の内側面側の生地６０とを具備するものである。
【００７１】
したがって、ベルト部２０，５０の接続部の開口部２６，５６が外部から見えてしまい見栄えを損なうという不具合を効果的に防止することができる。即ち、分離したベルト部２０，５０の接続部における開口端縁２７，５７を完全に被覆して、ベルト部２０，５０の重なり部分の見栄えを向上することができる。また、ベルト部２０，５０の接続部である開口部２６，５６は、帯状のベルト部用素材を斜めに裁断して端部処理するだけで簡単に形成することができるため、作業性を向上し、かつ、製造コストを低減することができる。また、ベルト通し４１の上下両端部の縫い代を確保し、ベルト通し４１の上下両端部を開口部２６，５６上端及び第２の布部上端の所定位置に容易に位置決めすることができると共に、ベルト通し４１をベルト部２０，５０の接続部に簡単に縫い付け等により取付けることができる。更に、第１及び第２の弾性部材３１，３２により、第１及び第２のベルト部のウエスト方向への相対移動をバランス良く釣り合わせた状態で行うことができる。また、第２の弾性部材３２により第２の布部の端部の位置を定めることができ、前布１１，１１ａからなる第１の布部の端部がベルトの長さに応答することができる。しかも、ウエスト調節機能付衣料品の内側における第２の布部の端部処理は、第２の弾性部材３２を利用して簡単に行うことができる。加えて、後ベルト２５，５５からなる第２のベルト部の表側の生地にその縫い目等が現れたり、表側の生地が歪んだりすることがなく、意匠面である表面の生地の美観を損なうことがない。また、後ベルト２５，５５からなる第２のベルト部の裏側の生地の捲れを防止することができる。例えば、ウエスト部分またはベルト部の縫製作業において、第２のベルト部の裏側の生地の捲れを防止することにより、その作業を円滑に行い、作業性を向上することができる。
【００７２】
加えて、ベルト通し４１の上端部を、開口部２６，５６の内側面の上部の開口端縁２７，５７付近に取付けたものとするものであるから、縫製する場合の縫い代の確保が容易であり、その仕上りの縫製が自然となるから、見栄えを良くすることができる。また、ベルト通し４１の上端部を、開口部２６，５６の外側面の上部の開口端縁２７，５７付近に取付けたものであるから、縫製する場合の縫い代の確保が容易であり、その縫製の順序が厳格にする必要がなくなり、かつ、その仕上りが自然となるから、見栄えを良くすることができる。
【００７３】
そして、後ベルト２５，５５からなる第２のベルト部の開口部２６，５６の外側面の開口端縁２７，５７は、ベルト通し４１の略対角線方向に延びるよう形成したものであるから、ベルト部２０，５０の接続部の開口部２６，５６が外部から視認され難くなり、かつ、縫い代の確保が容易である。
【００７４】
更に、後ベルト２５，５５からなる第２のベルト部の開口部２６，５６の内側面は、前ベルト２１，５１からなる第１のベルト部の突出する端部を包み込むようにして前記第２の布部の上端部に固着したものであるから、前布１１，１１ａからなる第１の布部及び第２の布部を接続部で相対移動自在とし、かつ、補助布１２または前布の後側部１２ａからなる第２の布部の端部の位置を定めてその垂れ下がり等を防止することができる。また、前ベルト２１，５１からなる第１のベルト部及び後ベルト２５，５５からなる第２のベルト部の相対移動をより円滑に行うことができる。
【００７５】
ところで、上記各実施の形態はズボンに具体化され、ポケット口１３または前側のタック１７を利用してズボンのウエスト調節機構を設けた。これは、ポケット口１３または前側のタック１７の上端側には、通常、ベルト通し４１が配置されるからであり、かかるベルト通し４１を利用して開口部２６，５６を被覆するのに都合が良いからである。しかし、本発明は、ウエスト調節機構を、それら以外の位置、例えば、後側のタック１７に設けたり、その他のベルト通し４１の配置される部位に設けたり、その他の任意の位置に設けてもよい。即ち、ベルト部２０，５０を分離する位置は上記実施の形態に限定されない。その場合、上記のように、前ベルト１１，５１及び後ベルト１５，５５の接続部をその部位に設け、開口１７，５７をその部位のベルト通し４１で被覆するようにする。これにより、上記と同様の作用及び効果を奏することができる。また、本発明は、ウエスト調整を必要とするウエスト調節機能付衣料品であれば、ズボン以外のウエスト調節機能付衣料品、例えば、スカート、ショートパンツ、ベルトを有するワンピース等種々のものに適用することができる。
【００７６】
したがって、本発明のウエスト方向に相対移動自在となるように重ね合わせた第１の布部及び第２の布部は、上記実施の形態のズボン、スカート、ショートパンツ、ベルトを有するワンピース等の共通する布または異種の布の何れでもよく、また、タック１７の実施の形態で示すように、必ずしも、複数に分離されたものを意味するものではなく、一枚布の部分をも意味するものである。
【００７７】
また、上記各実施の形態は、ベルト部２０，５０の開口部２６，５６の開口端縁２７，５７をベルト通し４１で覆う構成と、弾性部材３１，３２をベルト部２０，５０の裏側の生地に固着する構成の、両方の構成を具備する。しかし、本発明を実施する場合には、かかる実施の形態に限定されるものではなく、少なくとも、弾性部材３１のみをベルト部２０，５０に取付けた構成または弾性部材３１，３２の両者をベルト部２０，５０に取付けた構成を具備するものであればよい。
【００７８】
即ち、本発明を実施する場合の、前布１１または前布の前側部１１ａからなる第１の布部に端部が突出するように固着され、ウエスト方向に延びる帯状とした前ベルト２１，５１からなる第１のベルト部と、補助布１２または前布の後側部１１ｂからなる第２の布部に固着され、前ベルト２１，５１からなる第１のベルト部に連続してウエスト方向に延びる帯状とし、前ベルト２１，５１からなる第１のベルト部の突出する端部が挿入される開口部２６，５６を有し、かつ、開口部２６，５６の外側面の開口端縁２７，５７が下方に向かってウエスト方向に対して幅狭とし、また、開口部２６，５６の内側面の開口端縁２８，５８が下方に向かってウエスト方向に対して幅広となるようにした後ベルト２５，５５からなる第２のベルト部は、人のウエスト部分を巻くベルト部２０，５０を複数、少なくとも２以上に分割したものであればよく、その分割した数を特定するものではない。また、本発明を実施する場合の前ベルト２１，５１からなる第１のベルト部と後ベルト２５，５５からなる第２のベルト部は、その前後を問うものではなく、前後を逆にすることもできる。
【００７９】
特に、上記各実施の形態はズボンに具体化され、ポケット口１３または前側のタック１７を利用してズボンのウエスト調節機構は、ポケット口１３またはタック１７またはダーツ１６に何れかに１または複数箇所またはそれらを組合せて設けることができる。殊に、タック１７またはダーツ１６に設けたものは、人が予測しない箇所であり、また、着用時にも気付かれない形態を維持できる。ポケット口１３においても、ほぼそれが維持されるが、縫製においては、複数の生地の縫合箇所となることから、作業性から見れば有利である。しかし、本発明を実施する場合には、基本的に場所を特定するものではない。
【００８０】
また、上記実施の形態では、弾性部材３１，３２の両者をベルト部２０，５０の構成を具備するものであるが、弾性部材３２は補助布１２または前布の後側部１１ｂからなる第２の布部に張力を付与するものであり、見栄えを尊重するものであるが、省略し、そのベルト部の延び量の中間値等に設定し、所定の布で固定してもよい。即ち、外部から遮蔽された位置で、前ベルト２１，５１からなる第１のベルト部の突出する挿入端部２２，５２からなる端部と、後ベルト２５，５５からなる第２のベルト部の内方向側面に位置する部位とをウエスト方向に弾性的に接続した第１の弾性部材３１とすることができる。
【００８１】
しかし、弾性部材３１，３２の両者をベルト部２０，５０の構成を具備するものでは、常に、見栄えを良くすることができる。即ち、外部から遮蔽された位置で、前ベルト２１，５１からなる第１のベルト部の突出する挿入端部２２，５２からなる端部と、後ベルト２５，５５からなる第２のベルト部の内方向側面に位置する部位とをウエスト方向に弾性的に接続した第１の弾性部材３１と、補助布１２または前布の後側部１１ｂからなる第２の布部の端部または後ベルト２５，５５からなる第２のベルト部と前ベルト２１，５１からなる第１のベルト部の内方向側面に位置する部位とをウエスト方向に弾性的に接続する第２の弾性部材３２とを具備すると、見栄えを良くすることができる。
【００８２】
このように、上記実施の形態のように２つの弾性部材３１，３２を設けて、前ベルト２１、５１及び後ベルト２５，５５の相対移動時のバランスをとることもできるが、第１の弾性部材３１のみの構成としてもよい。更に、弾性部材３１，３２は、ベルト部２０，５０の裏面側の生地に固着する限りにおいて、他の構成を採用することができる。
【００８３】
そして、上記第１の構成を具体化する場合、ベルト部２０，５０の開口部２６，５６は、ベルト通し４１の略対角線方向に延びるよう形成することが好ましい。こうすることにより、縫い代が容易に確保できる。しかし、ベルト部２０，５０の開口部２６，５６は、ベルト通し４１の長さ方向と傾斜して延びる限りにおいて、若干の曲線状としたり、非直線状としたり、任意の形態とすることができる。
【００８４】
更に、上記実施の形態は、ベルト部２０，５０を二重とした例で説明したが、かかる二重のベルト部は通常、コットンパンツ等に採用される。したがって、通常のウール、合繊等のスラックスの場合のように、ベルト部２０，５０を一重として実施することもできる。例えば、ベルト部２０，５０を一重とし、その上端部を若干裏側に折り返し、裏地（芯地）を縫い付けて二重とし、上記実施の形態と実質的に同様のベルト部として実施することもできる。この場合、その芯地は、分離したベルト部の少なくとも接続部で、ゴムバンド等の弾性部材３１，３２に匹敵する十分な弾性を有するものを使用する必要が有る。また、挿入端部２２，５２の形状も、開口１７，５７から出し入れ自在な限りにおいて、上記実施の形態以外の目立ち難い構成とすることができる。また、第１及び第２のベルト部をそれぞれ実質的に一重とし、それらを接続部で単に重ね合わせて、互いに相対移動自在とすることも可能である。この場合、第１のベルト部の端部を第２のベルト部の開口となる端縁から裏面側または内側に重ねて、適宜ウエスト方向に案内し、それらを相対移動する。
【００８５】
【発明の効果】
以上のように、請求項１のウエスト調節機能付衣料品によれば、ウエスト方向に延びるよう設けられるベルト部を、ウエスト方向の所定位置で複数に分離し、分離した一方のベルト部の突出する端部を他方のベルト部に設けた開口部に挿入し、かつ、一方のベルト部の突出する端部を他方のベルト部に設けた開口部に挿入した状態でウエスト方向に弾性的に接続してなるウエスト調節機能付衣料品において、前記他方のベルト部の開口部は、前記開口部の意匠面となる外側面の開口端縁が下方に向かってウエスト方向に対して幅狭とし、また、前記開口部の内側面の開口端縁が下方に向かってウエスト方向に対して幅広となるようにした布地を中央で折返して、前記開口端縁が傾斜するように形成し、かつ、前記他方のベルト部の開口部の外側面の開口端縁をウエスト方向と直交するベルト通しにより被覆したものである。
【００８６】
したがって、ベルト部の接続部の開口端縁が外部から視認されて見栄えを損なうという不具合を効果的に防止することができる。即ち、分離したベルト部の接続部における開口部の開口端縁を完全に被覆して、ベルト部の重なり部分の見栄え一本のベルト部と認識され、その見栄えを向上することができる。また、ベルト部の接続部である開口部は、帯状のベルト部用素材を斜めに裁断して端部処理等するだけで簡単に形成することができるため、作業性を向上し、かつ、製造コストを低減することができる。
【００８７】
請求項２のウエスト調節機能付衣料品によれば、ウエスト方向に相対移動自在となるように重ね合わせた第１の布部及び第２の布部と、前記第１の布部に端部が突出するように固着され、前記ウエスト方向に延びる帯状とした第１のベルト部と、前記第２の布部に固着され、前記第１のベルト部に連続して前記ウエスト方向に延びる帯状とした第２のベルト部と、前記ウエスト方向と直交する帯状とし、その上端部を前記開口部の開口端縁付近に取付けると共に、その下端部を前記開口部の外側面の開口端縁付近の下部に対応する前記第２の布部に取付けて、前記開口部の外側面の開口端縁を覆ったベルト通しと、外部から遮蔽された位置で、前記第１のベルト部の突出する端部と前記第２のベルト部の内方向側面に位置する部位とを前記ウエスト方向に弾性的に接続した第１の弾性部材とを具備し、前記第２のベルト部は、前記第１のベルト部の突出する端部が挿入される開口部を有し、かつ、前記開口部の外側面の開口端縁が下方に向かって前記ウエスト方向に対して幅狭とし、また、前記開口部の内側面の開口端縁が下方に向かって前記ウエスト方向に対して幅広となるようにしたものである。
【００８８】
したがって、ベルト部の接続部の開口部が外部から見えてしまい見栄えを損なうという不具合を効果的に防止することができる。即ち、分離したベルト部の接続部における開口端縁を完全に被覆して、ベルト部の重なり部分の見栄えを向上することができる。また、ベルト部の接続部分である開口部分は、帯状のベルト部用素材を斜めに裁断して端部処理するだけで簡単に形成することができるため、作業性を向上し、かつ、製造コストを低減することができる。また、ベルト通しの上下両端部の縫い代を確保し、ベルト通しの上下両端部を開口部上端及び第２の布部上端の所定位置に容易に位置決めすることができると共に、ベルト通しをベルト部の接続部分に簡単に縫い付け等により取付けることができる。
【００８９】
請求項３のウエスト調節機能付衣料品によれば、ウエスト方向に相対移動自在となるように重ね合わせた第１の布部及び第２の布部と、前記第１の布部に端部が突出するように固着され、前記ウエスト方向に延びる帯状とした第１のベルト部と、前記第２の布部に固着され、前記第１のベルト部に連続して前記ウエスト方向に延びる帯状とした第２のベルト部と、前記ウエスト方向と直交する帯状とし、その上端部を前記開口部の開口端縁付近に取付けると共に、その下端部を前記開口部の外側面の開口端縁付近の下部に対応する前記第２の布部に取付けて、前記開口部の外側面の開口端縁を覆ったベルト通しと、外部から遮蔽された位置で、前記第１のベルト部の突出する端部と前記第２のベルト部の内方向側面に位置する部位とを前記ウエスト方向に弾性的に接続した第１の弾性部材と、前記第１のベルト部及び前記第２のベルト部の内方向側面に位置する部位に縫製し、前記ウエスト方向に伸縮自在とした前記第１のベルト部及び前記第２のベルト部の内側面側の生地とを具備し、前記第２のベルト部は、前記第１のベルト部の突出する端部が挿入される開口部を有し、かつ、前記開口部の外側面の開口端縁が下方に向かって前記ウエスト方向に対して幅狭とし、また、前記開口部の内側面の開口端縁が下方に向かって前記ウエスト方向に対して幅広となるようにしたものである。
【００９０】
したがって、ベルト部の接続部の開口部が外部から見えてしまい見栄えを損なうという不具合を効果的に防止することができる。即ち、分離したベルト部の接続部における開口端縁を完全に被覆して、ベルト部の重なり部分の見栄えを向上することができる。また、ベルト部の接続部分である開口部分は、帯状のベルト部用素材を斜めに裁断して端部処理するだけで簡単に形成することができるため、作業性を向上し、かつ、製造コストを低減することができる。また、ベルト通しの上下両端部の縫い代を確保し、ベルト通しの上下両端部を開口部上端及び第２の布部上端の所定位置に容易に位置決めすることができると共に、ベルト通しをベルト部の接続部分に簡単に縫い付け等により取付けることができる。更に、第２のベルト部の表側の生地にその縫い目等が現れたり、表側の生地が歪んだりすることがなく、意匠面である表面の生地の美観を損なうことがない。また、第２のベルト部の裏側の生地の捲れを防止することができる。例えば、ウエスト部分またはベルト部の縫製作業において、第２のベルト部の裏側の生地の捲れを防止することにより、その作業を円滑に行い、作業性を向上することができる。
【００９１】
請求項４のウエスト調節機能付衣料品によれば、ウエスト方向に相対移動自在となるように重ね合わせた第１の布部及び第２の布部と、前記第１の布部に端部が突出するように固着され、前記ウエスト方向に延びる帯状とした第１のベルト部と、前記第２の布部に固着され、前記第１のベルト部に連続して前記ウエスト方向に延びる帯状とした第２のベルト部と、前記ウエスト方向と直交する帯状とし、その上端部を前記開口部の開口端縁付近に取付けると共に、その下端部を前記開口部の外側面の開口端縁付近の下部に対応する前記第２の布部に取付けて、前記開口部の外側面の開口端縁を覆ったベルト通しと、外部から遮蔽された位置で、前記第１のベルト部の突出する端部と前記第２のベルト部の内方向側面に位置する部位とを前記ウエスト方向に弾性的に接続した第１の弾性部材と、前記第２の布部の端部または前記第２のベルト部と前記第１のベルト部の内方向側面に位置する部位とを前記ウエスト方向に弾性的に接続する第２の弾性部材とを具備し、前記第２のベルト部は、前記第１のベルト部の突出する端部が挿入される開口部を有し、かつ、前記開口部の外側面の開口端縁が下方に向かって前記ウエスト方向に対して幅狭とし、また、前記開口部の内側面の開口端縁が下方に向かって前記ウエスト方向に対して幅広となるようにしたものである。
【００９２】
したがって、ベルト部の接続部の開口部が外部から見えてしまい見栄えを損なうという不具合を効果的に防止することができる。即ち、分離したベルト部の接続部における開口端縁を完全に被覆して、ベルト部の重なり部分の見栄えを向上することができる。また、ベルト部の接続部分である開口部分は、帯状のベルト部用素材を斜めに裁断して端部処理するだけで簡単に形成することができるため、作業性を向上し、かつ、製造コストを低減することができる。また、ベルト通しの上下両端部の縫い代を確保し、ベルト通しの上下両端部を開口部上端及び第２の布部上端の所定位置に容易に位置決めすることができると共に、ベルト通しをベルト部の接続部分に簡単に縫い付け等により取付けることができる。更に、第１及び第２の弾性部材により、第１及び第２のベルト部のウエスト方向への相対移動をバランス良く釣り合わせた状態で行うことができる。また、第２の弾性部材により第２の布部の端部の位置を定めることができ、第１の布部の端部がベルトの長さに応答することができる。しかも、ウエスト調節機能付衣料品の内側における第２の布部の端部処理は、第２の弾性部材を利用して簡単に行うことができる。
【００９３】
請求項５のウエスト調節機能付衣料品によれば、ウエスト方向に相対移動自在となるように重ね合わせた第１の布部及び第２の布部と、前記第１の布部に端部が突出するように固着され、前記ウエスト方向に延びる帯状をなす第１のベルト部と、前記第２の布部に固着され、前記第１のベルト部に連続して前記ウエスト方向に延びる帯状とした第２のベルト部と、前記ウエスト方向と直交する帯状とし、その上端部を前記開口部の内側面の開口端縁付近に取付けると共に、その下端部を前記開口部の外側面の開口端縁付近の下部に対応する前記第２の布部に取付けて、前記開口部の外側面の開口端縁を覆ったベルト通しと、外部から遮蔽された位置で、前記第１のベルト部の突出する端部と前記第２のベルト部の内方向側面に位置する部位とを前記ウエスト方向に弾性的に接続した第１の弾性部材と、前記第２の布部の端部または前記第２のベルト部と前記第１のベルト部の内方向側面に位置する部位とを前記ウエスト方向に弾性的に接続した第２の弾性部材と、前記弾性部材の伸縮方向と伸縮方向を同一とした前記第１のベルト部及び前記第２のベルト部の内方向側面に位置する部位に縫製し、前記ウエスト方向に伸縮自在とした前記第１のベルト部及び前記第２のベルト部の内側面側の生地とを具備し、前記第２のベルト部は、前記第１のベルト部の突出する端部が挿入される開口部を有し、かつ、前記開口部の外側面の開口端縁が下方に向かって前記ウエスト方向に対して幅狭とし、また、前記開口部の内側面の開口端縁が下方に向かって前記ウエスト方向に対して幅広となるようにしたものである。
【００９４】
したがって、ベルト部の接続部の開口部が外部から見えてしまい見栄えを損なうという不具合を効果的に防止することができる。即ち、分離したベルト部の接続部における開口端縁を完全に被覆して、ベルト部の重なり部分の見栄えを向上することができる。また、ベルト部の接続部分である開口部分は、帯状のベルト部用素材を斜めに裁断して端部処理するだけで簡単に形成することができるため、作業性を向上し、かつ、製造コストを低減することができる。また、ベルト通しの上下両端部の縫い代を確保し、ベルト通しの上下両端部を開口部上端及び第２の布部上端の所定位置に容易に位置決めすることができると共に、ベルト通しをベルト部の接続部分に簡単に縫い付け等により取付けることができる。更に、第２のベルト部の表側の生地にその縫い目等が現れたり、表側の生地が歪んだりすることがなく、意匠面である表面の生地の美観を損なうことがない。また、第２のベルト部の裏側の生地の捲れを防止することができる。例えば、ウエスト部分またはベルト部の縫製作業において、第２のベルト部の裏側の生地の捲れを防止することにより、その作業を円滑に行い、作業性を向上することができる。そして、第１及び第２の弾性部材により、第１及び第２のベルト部のウエスト方向への相対移動をバランス良く釣り合わせた状態で行うことができる。また、第２の弾性部材により第２の布部の端部の位置を定めることができ、第１の布部の端部がベルトの長さに応答することができる。しかも、ウエスト調節機能付衣料品の内側における第２の布部の端部処理は、第２の弾性部材を利用して簡単に行うことができる。
【００９５】
請求項６のウエスト調節機能付衣料品によれば、前記ベルト通しの上端部を、前記開口部の内側面の上部開口端縁付近に取付けたものとするものであるから、請求項１乃至請求項５の何れか１つに記載の効果に加えて、縫製する場合の縫い代の確保が容易であり、その仕上りの縫製が自然となるから、見栄えを良くすることができる。
【００９６】
請求項７のウエスト調節機能付衣料品によれば、前記ベルト通しの上端部を、前記開口部の外側面の上部開口端縁付近に取付けたものであるから、請求項１乃至請求項５の何れか１つに記載の効果に加えて、縫製する場合の縫い代の確保が容易であり、その縫製の順序が厳格にする必要がなくなり、かつ、その仕上りが自然となるから、見栄えを良くすることができる。
【００９７】
請求項８のウエスト調節機能付衣料品によれば、前記第２のベルト部の前記開口部の外側面の開口端縁は、前記ベルト通しの略対角線方向に延びるよう形成したものであるから、請求項１乃至請求項７の何れか１つに記載の効果に加えて、ベルト部の接続部の開口部が外部から視認され難くなり、かつ、縫い代の確保が容易である。
【図面の簡単な説明】
【図１】  図１は本発明の実施の形態１にかかるウエスト調節機能付衣料品としてのズボン全体を示す側面図である。
【図２】  図２は本発明の実施の形態１にかかるズボンのウエスト調節機能付衣料品の各部材を分解して示す斜視図である。
【図３】  図３は本発明の実施の形態１にかかるズボンのウエスト調節機能付衣料品の各部材の取付け態様を示す分解斜視図である。
【図４】  図４は本発明の実施の形態１にかかるズボンのウエスト調節機能付衣料品付近を示す斜視図である。
【図５】  図５は本発明の実施の形態１にかかるズボンのウエスト調節機能付衣料品の通常時を表面側から見て示す説明図である。
【図６】  図６は本発明の実施の形態１にかかるズボンのウエスト調節機能付衣料品の通常時を裏面側から見て示す説明図である。
【図７】  図７は本発明の実施の形態１にかかるズボンのウエスト調節機能付衣料品の伸長時を表面側から見て示す説明図である。
【図８】  図８は本発明の実施の形態１にかかるズボンのウエスト調節機能付衣料品の伸長時を裏面側から見て示す説明図である。
【図９】  図９は本発明の実施の形態２にかかるウエスト調節機能付衣料品としてのズボン全体を示す側面図である。
【図１０】  図１０は本発明の実施の形態２にかかるズボンのウエスト調節機能付衣料品の各部材の取付け態様を示す分解斜視図である。
【図１１】  図１１は本発明の実施の形態２にかかるズボンのウエスト調節機能付衣料品の通常時を表面側から見て示す説明図である。
【図１２】  図１２は本発明の実施の形態２にかかるズボンのウエスト調節機能付衣料品の通常時を裏面側から見て示す説明図である。
【符号の説明】
１１  前布（第１の布部）、１２  補助布（第２の布部）、１１ａ  前布の前側部（第１の布部）、１１ｂ  前布の後側部（第２の布部）、２０  ベルト部、２１  前ベルト（第１のベルト部）、２２  挿入端部、２５  後ベルト（第２のベルト部）、２６  開口部、２７  開口端縁、２８  開口端縁、３１  第１の弾性部材、３２  第２の弾性部材、４１  ベルト通し、５０  ベルト部、５１  前ベルト（第１のベルト部）、５２  挿入端部、５５  後ベルト（第２のベルト部）、５６  開口部、５７  開口端縁、５８  開口端縁、
【図１】
0003789663.tif 000002
【図２】
0003789663.tif 000003
【図３】
0003789663.tif 000004
【図４】
0003789663.tif 000005
【図５】
0003789663.tif 000006
【図６】
0003789663.tif 000007
【図７】
0003789663.tif 000008
【図８】
0003789663.tif 000009
【図９】
0003789663.tif 000010
【図１０】
0003789663.tif 000011
【図１１】
0003789663.tif 000012
【図１２】
0003789663.tif 000013